(57)【要約】【課題】断熱性に加え遮熱性を有する遮熱断熱シートを提供すること。【解決手段】本発明では、複数の気泡室(25)が形成された可撓性を有する空気層(26)の表面及び裏面に光を反射する反射面(27)が形成された可撓性を有する反射層(28)を設けた矩形状のシート本体(2)の各辺に他のシート本体を接続するための拡張片(3〜6)を設けることにした。また、一の拡張片は、基端部がシート本体の端縁部上側に取付けられるとともに、中途部がシート本体の端縁部上側からシート本体の端縁部下側に折曲され、先端部がシート本体の端縁部下側に着脱自在に取付けられ、その一の拡張片と対向する辺に設けられた他の拡張片は、基端部がシート本体の端縁部下側に取付けられるとともに、中途部がシート本体の端縁部下側からシート本体の端縁部上側に折曲され、先端部がシート本体の端縁部上側に着脱自在に取付けられていることにした。【選択図】図２
2018173106.tif 000002
【特許請求の範囲】
【請求項１】
複数の気泡室が形成された可撓性を有する空気層の表面及び裏面に光を反射する反射面が形成された可撓性を有する反射層を設けたことを特徴とする遮熱断熱シート。
【請求項２】
複数の気泡室が形成された可撓性を有する空気層の表面及び裏面に光を反射する反射面が形成された可撓性を有する反射層を設けた矩形状のシート本体の各辺に他のシート本体を接続するための拡張片を設けたことを特徴とする遮熱断熱シート。
【請求項３】
前記シート本体の各辺に設けられた拡張片のうち、
一の拡張片は、基端部がシート本体の端縁部上側に取付けられるとともに、中途部がシート本体の端縁部上側からシート本体の端縁部下側に折曲され、先端部がシート本体の端縁部下側に着脱自在に取付けられ、
その一の拡張片と対向する辺に設けられた他の拡張片は、基端部がシート本体の端縁部下側に取付けられるとともに、中途部がシート本体の端縁部下側からシート本体の端縁部上側に折曲され、先端部がシート本体の端縁部上側に着脱自在に取付けられていることを特徴とする請求項２に記載の遮熱断熱シート。
【発明の詳細な説明】
【技術分野】
【０００１】
本発明は、遮熱断熱シートに関するものである。
【背景技術】
【０００２】
従来より梱包材として広く利用されている気泡緩衝材は、ポリスチレンフィルムによって複数の気泡室が平面上に形成されている。
【０００３】
この気泡緩衝材は、気泡室内の空気の作用によって主に緩衝材として使用されているが、その気泡室内の空気の作用によって熱の伝達が低減されることから、断熱シートとしても利用されるようになっている（たとえば、特許文献１参照。）。
【先行技術文献】
【特許文献】
【０００４】
【特許文献１】特開２０１３−２２７０４０号公報
【発明の概要】
【発明が解決しようとする課題】
【０００５】
ところが、上記従来の気泡緩衝材をそのまま断熱シートとして用いた場合には、断熱材としての作用があるものの、光を透過させてしまうことから遮熱性がなく、また、ポリスチレンフィルム自体に耐火性がないといった不具合があった。
【０００６】
そのため、上記従来の気泡緩衝材を断熱シートとして用いて、被災時等の簡易的なテントなどを形成することは困難であった。
【課題を解決するための手段】
【０００７】
そこで、請求項１に係る本発明では、遮熱断熱シートにおいて、複数の気泡室が形成された可撓性を有する空気層の表面及び裏面に光を反射する反射面が形成された可撓性を有する反射層を設けることにした。
【０００８】
また、請求項２に係る本発明では、遮熱断熱シートにおいて、複数の気泡室が形成された可撓性を有する空気層の表面及び裏面に光を反射する反射面が形成された可撓性を有する反射層を設けた矩形状のシート本体の各辺に他のシート本体を接続するための拡張片を設けることにした。
【０００９】
また、請求項３に係る本発明では、前記請求項２に係る本発明において、前記シート本体の各辺に設けられた拡張片のうち、一の拡張片は、基端部がシート本体の端縁部上側に取付けられるとともに、中途部がシート本体の端縁部上側からシート本体の端縁部下側に折曲され、先端部がシート本体の端縁部下側に着脱自在に取付けられ、その一の拡張片と対向する辺に設けられた他の拡張片は、基端部がシート本体の端縁部下側に取付けられるとともに、中途部がシート本体の端縁部下側からシート本体の端縁部上側に折曲され、先端部がシート本体の端縁部上側に着脱自在に取付けられていることにした。
【発明の効果】
【００１０】
そして、本発明では、以下に記載する効果を奏する。
【００１１】
すなわち、本発明では、複数の気泡室が形成された可撓性を有する空気層の表面及び裏面に光を反射する反射面が形成された可撓性を有する反射層を設けているために、断熱性に加えて、遮熱性や耐火性や保温性を向上させることができる。
【００１２】
特に、矩形状のシート本体の各辺に他のシート本体を接続するための拡張片を設けた場合には、被災時等において複数枚の遮熱断熱シートを接続して広大な面積の床材や壁材や屋根材を簡易に形成することができる。
【００１３】
また、シート本体の各辺に設けられた拡張片のうち、一の拡張片は、基端部がシート本体の端縁部上側に取付けられるとともに、中途部がシート本体の端縁部上側からシート本体の端縁部下側に折曲され、先端部がシート本体の端縁部下側に着脱自在に取付けられ、その一の拡張片と対向する辺に設けられた他の拡張片は、基端部がシート本体の端縁部下側に取付けられるとともに、中途部がシート本体の端縁部下側からシート本体の端縁部上側に折曲され、先端部がシート本体の端縁部上側に着脱自在に取付けられていることにした場合には、遮熱断熱シートの連結部分が２枚の拡張片で中空状に形成されることになり、その中空部分で支柱等を保持することができるので、被災時等においてテントや仕切などを簡易に形成することができる。
【図面の簡単な説明】
【００１４】
【図１】本発明に係る遮熱断熱シートを示す平面図（（ａ）拡張片を閉じた状態、（ｂ）拡張片を開いた状態）。
【図２】同部分拡大断面図（（ａ）拡張片を閉じた状態、（ｂ）拡張片を開いた状態、（ｃ）拡張片で接続した状態、（ｄ）シート本体）。
【図３】連結した遮熱断熱シートを示す平面図。
【発明を実施するための形態】
【００１５】
以下に、本発明に係る遮熱断熱シートの具体的な構成について図面を参照しながら説明する。
【００１６】
図１に示すように、遮熱断熱シート１は、矩形状の可撓性を有するシート本体２の各辺に可撓性を有する拡張片3〜6を取付けている。
【００１７】
拡張片3〜6は、シート本体２と他のシート本体２とを接続して、面積を拡張するものである。
【００１８】
対向する位置に取付けられた拡張片3〜6は、上下逆向きに取付けられている。すなわち、シート本体２の長辺の一方に取付けられた拡張片３とそれに対向する拡張片５（シート本体２の長辺の他方に取付けられた拡張片５）、及び、シート本体２の短辺の一方に取付けられた拡張片４とそれに対向する拡張片６（シート本体２の短辺の他方に取付けられた拡張片６）は、それぞれ上下逆向きに取付けられている。
【００１９】
たとえば、図２（ａ）に示すように、一方の拡張片３は、基端部７がシート本体２の一方の端縁部８の上側に取付けられている。また、一方の拡張片３は、基端部７に続く中途部９がシート本体２の端縁部８の上側からシート本体２の端縁部８の下側にシート本体２の端縁部８を跨いで折曲されている。さらに、一方の拡張片３は、中途部９に続く先端部10がシート本体２の端縁部８の下側に着脱自在に取付けられている。基端部７は、シート本体２の一方の端縁部８の上側面に沿ってシート本体２の内側へ向けて伸延されている。中途部９は、基端部７との間で上側に折曲され、基端部７の上側面に沿ってシート本体２の外側へ向けて伸延され、先端部10との間で下側に折曲されている。先端部10は、シート本体２の一方の端縁部８の下側面に沿ってシート本体２の内側へ向けて伸延されている。ここで、シート本体２の一方の端縁部８の下側面には、係止具11としてのボタンの雄側が取付けられており、拡張片３の先端部10の上側面には、係止具11と係合する係止具12としてのボタンの雌側が取付けられている。なお、係止具11は、カバー13とによってシート本体２の一方の端縁部８と拡張片３の基端部７とを挟持しており、係止具11及びそのカバー13によってシート本体２の一方の端縁部８に拡張片３の基端部７が取付けられている。また、係止具12は、カバー14とによって拡張片３の先端部10を挟持している。
【００２０】
この一方の拡張片３と対向する他方の拡張片５は、基端部15がシート本体２の他方の端縁部16の下側に取付けられている。また、他方の拡張片５は、基端部15に続く中途部17がシート本体２の端縁部16の下側からシート本体２の端縁部16の上側にシート本体２の端縁部16を跨いで折曲されている。さらに、他方の拡張片５は、中途部17に続く先端部18がシート本体２の端縁部16の上側に着脱自在に取付けられている。基端部15は、シート本体２の他方の端縁部16の下側面に沿ってシート本体２の内側へ向けて伸延されている。中途部17は、基端部15との間で下側に折曲され、基端部15の下側面に沿ってシート本体２の外側へ向けて伸延され、先端部18との間で上側に折曲されている。先端部18は、シート本体２の他方の端縁部16の上側面に沿ってシート本体２の内側へ向けて伸延されている。ここで、シート本体２の他方の端縁部16の上側面には、係止具19としてのボタンの雄側が取付けられており、拡張片５の先端部18の下側面には、係止具19と係合する係止具20としてのボタンの雌側が取付けられている。なお、係止具19は、カバー21とによってシート本体２の他方の端縁部16と拡張片５の基端部15とを挟持しており、係止具19及びそのカバー21によってシート本体２の他方の端縁部16に拡張片５の基端部15が取付けられている。また、係止具20は、カバー22とによって拡張片５の先端部18を挟持している。
【００２１】
各拡張片3〜6は、シート本体２の各辺を被覆した閉じた状態（図１（ａ）及び図２（ａ）で示す状態）と、シート本体２の各辺から外側に伸ばした開いた状態（図２（ｂ）及び図２（ｂ）で示す状態）とに変更することができる。
【００２２】
各拡張片3〜6を閉じた状態とした場合には、矩形状のシート本体２の各辺を拡張片3〜6で被覆することになり、シート本体２の端縁が破れないように保護することができる。
【００２３】
一方、各拡張片3〜6を開いた状態とした場合には、図３に示すように、一方の遮熱断熱シート１と他の遮熱断熱シート1'とを拡張片3〜6同士を接続することで連結させることができ、面積を広くすることができる。
【００２４】
連結する場合には、図２（ｂ）に示すように、一方の遮熱断熱シート１の拡張片３を開いた状態とするとともに、他方の遮熱断熱シート1'の拡張片５を開いた状態で一方の遮熱断熱シート１の拡張片３の下側に配置し、一方の遮熱断熱シート１の拡張片３の先端部10の係止具12と他方の遮熱断熱シート1'の拡張片５の基端部15の係止具19とを係止させるとともに、一方の遮熱断熱シート１の拡張片３の基端部７の係止具11と他方の遮熱断熱シート1'の拡張片５の先端部18の係止具20とを係止させる。
【００２５】
これにより、一方の遮熱断熱シート１と他方の遮熱断熱シート1'とが連結され、しかも、図２（ｃ）に示すように、間に上下の拡張片3,5で塞がれた空間23が形成される。この空間23には、支柱24を挿入することができる。なお、各遮熱断熱シート1,1'のシート本体２や拡張片3〜6に支柱24を固定する紐等を通す貫通孔等を形成しておいてもよい。貫通孔等は、シート本体２の端縁で拡張片3〜6で被覆される位置に設けることで拡張片3〜6を閉じた状態にしたときに外側から見えないようにすることもできる。
【００２６】
遮熱断熱シート１は、シート本体２及び拡張片3〜6を遮熱性及び断熱性を有する素材で形成している。すなわち、図２（ｄ）に示すように、遮熱断熱シート１は、複数の気泡室25が同一平面上に形成された可撓性を有する空気層26の表面及び裏面に光を反射する反射面27が形成された可撓性を有する反射層28を設けた素材で形成している。たとえば、空気層26は、ポリスチレンフィルムを加工して製造することができ、反射層28は、プラスチックフィルムの表面にアルミニウムを蒸着させて製造することができ、遮熱断熱シート１は、空気層26の表面及び裏面に反射層28を接着することで製造することができる。
【００２７】
以上に説明したように、上記遮熱断熱シート１は、複数の気泡室25が形成された可撓性を有する空気層26の表面及び裏面に光を反射する反射面27が形成された可撓性を有する反射層28を設けた構成となっている。
【００２８】
そのため、上記構成の遮熱断熱シート１では、空気層26及び反射層28の作用によって、断熱性に加えて、遮熱性や耐火性や保温性を向上させることができる。
【００２９】
また、上記遮熱断熱シート１は、矩形状のシート本体２の各辺に他のシート本体２を接続するための拡張片3〜6を設けた構成となっている。
【００３０】
そのため、上記構成の遮熱断熱シート１では、被災時等において複数枚の遮熱断熱シート1,1'を接続して広大な面積の床材や壁材や屋根材を簡易に形成することができる。
【００３１】
さらに、上記遮熱断熱シート１は、シート本体２の各辺に設けられた拡張片3〜6のうち、一の拡張片3,4は、基端部７がシート本体２の端縁部８の上側に取付けられるとともに、中途部９がシート本体２の端縁部８の上側からシート本体２の端縁部８の下側に折曲され、先端部10がシート本体２の端縁部８の下側に着脱自在に取付けられ、その一の拡張片3,4と対向する辺に設けられた他の拡張片5,6は、基端部15がシート本体２の端縁部16の下側に取付けられるとともに、中途部17がシート本体２の端縁部16の下側からシート本体２の端縁部16の上側に折曲され、先端部18がシート本体２の端縁部16の上側に着脱自在に取付けられた構成となっている。
【００３２】
そのため、上記構成の遮熱断熱シート１では、遮熱断熱シート１の連結部分が２枚の拡張片3,5（4,6）で中空状に形成されることになり、その中空部分で支柱等を保持することができるので、被災時等においてテントや仕切などを簡易に形成することができる。
【符号の説明】
【００３３】
1,1'  遮熱断熱シート                ２  シート本体
3〜6  拡張片                        7,15  基端部
8,16  端縁部                        9,17  中途部
10,18  先端部                       11,12,19,20  係止具
13,14,21,22  カバー                 23  空間
24  支柱                            25  気泡室
26  空気層                          27  反射面
28  反射層
【図１】
2018173106.tif 000003
【図２】
2018173106.tif 000004
【図３】
2018173106.tif 000005